(57)【特許請求の範囲】
【請求項１】
Ｘ線を被検体に曝射するＸ線管と、前記被検体を透過した前記Ｘ線を検出して投影データを発生するＸ線検出器とを有し、前記被検体の断層像データを取得するＸ線コンピュータ断層撮影装置を用いた心電同期スキャン方法において、
前記Ｘ線コンピュータ断層撮影装置によって前記被検体のスキャノ画像を取得し、
前記スキャノ画像に対するＣＴ値のばらつきの標準偏差を設定し、
前記標準偏差に基づいて前記Ｘ線管に流れる管電流値の変化を求め、この管電流値の変化から所定の管電流値を設定し、
前記Ｘ線管に一定の前記所定の管電流値を供給した状態で、前記Ｘ線管を回転させてＸ線を被検体に曝射し、前記被検体を透過した前記Ｘ線をＸ線検出器により検出しその投影データを収集する、
ことを特徴とする心電同期スキャン方法。
【請求項２】
Ｘ線を被検体に曝射するＸ線管と、前記被検体を透過した前記Ｘ線を検出して投影データを発生するＸ線検出器とを有し、前記被検体の断層像データを取得するＸ線コンピュータ断層撮影装置を用いた心電同期スキャン方法において、
前記Ｘ線コンピュータ断層撮影装置によって前記被検体のスキャノ画像を取得し、
前記スキャノ画像に対するＣＴ値のばらつきの標準偏差を設定し、
前記標準偏差に基づいて心電同期スキャンによる撮影条件に応じて前記Ｘ線管に流れる管電流値の変化を求め、
前記スキャノ画像上で心電同期スキャンの管電流を決定する位置を決定し、
前記心電同期スキャンの管電流を決定する位置に応じた前記Ｘ線管に流れる管電流値を前記管電流値の変化から設定し、
この設定された一定の管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する、
ことを特徴とする心電同期スキャン方法。
【請求項３】
前記スキャノ画像内に心電同期撮影領域を設定し、当該心電同期撮影領域内に前記ＣＴ値のばらつきの標準偏差を設定することを特徴とする請求項１又は２記載の心電同期スキャン方法。
【請求項４】
前記所定の管電流値は、前記被検体の断層像データの撮影条件に応じて前記心電同期撮影領域内の前記Ｘ線管の回転毎の前記管電流値の変化を求め、この管電流値の変化から最大管電流値を設定することを特徴とする請求項３記載の心電同期スキャン方法。
【請求項５】
前記標準偏差に基づいて前記Ｘ線管に流れる前記管電流値の変化を求めた後、再度、前記標準偏差を変更設定し、
この変更設定された前記標準偏差に基づいて前記Ｘ線管に流れる管電流値の変化を再度求め、この管電流値の変化から所定の管電流値を再設定する、
ことを特徴とする請求項１記載の心電同期スキャン方法。
【請求項６】
Ｘ線管を回転させてＸ線を被検体に曝射すると共に、前記被検体を載置する寝台の移動速度を一定又は可変して移動し、前記被検体を透過した前記Ｘ線をＸ線検出器により検出しその投影データを発生し、かつ前記被検体の特定の心拍位相に従って収集した前記投影データを再構成して前記被検体の断層像データを取得するＸ線コンピュータ断層撮影装置を用いた心電同期スキャン方法において、
前記Ｘ線コンピュータ断層撮影装置によって前記被検体のスキャノ画像を取得し、
前記スキャノ画像に基づいて前記寝台の移動速度を可変する通常ヘリカルスキャンの領域と、前記寝台の移動速度を一定とする心電同期ヘリカルスキャンの領域とを設定し、
前記スキャノ画像に対するＣＴ値のばらつきの標準偏差を設定し、
前記通常ヘリカルスキャンの領域に対して当該通常ヘリカルスキャンの撮影条件に応じて前記Ｘ線管の回転毎の前記管電流値の変化を求め、この管電流値の変化を設定し、
前記心電同期ヘリカルスキャンの領域に対して当該心電同期ヘリカルスキャンの撮影条件に応じて前記Ｘ線管の回転毎の前記管電流値の変化を求め、この管電流値の変化から一定の管電流値を設定し、
前記通常ヘリカルスキャンの領域に対して前記設定された管電流値に変化する前記管電流を前記Ｘ線管に供給した状態で、前記Ｘ線管を回転させてＸ線を被検体に曝射し、前記被検体を透過した前記Ｘ線をＸ線検出器により検出しその投影データを収集し、
前記心電同期ヘリカルスキャンの領域に対して前記最大管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する、
ことを特徴とする心電同期スキャン方法。
【請求項７】
前記撮影条件は、少なくとも前記Ｘ線管及び前記Ｘ線検出器を回転させる回転速度、前記被検体を載置する寝台の移動速度、前記投影データを再構成して取得する前記被検体の画像データのスライス厚を有することを特徴とする請求項２、４又は６のうちいずれか１項記載の心電同期スキャン方法。
【請求項８】
Ｘ線を被検体に曝射するＸ線管と、
前記被検体を透過した前記Ｘ線を検出して投影データを発生するＸ線検出器と、
前記被検体の心拍を測定する心拍計測器と、
前記Ｘ線管から前記Ｘ線を前記被検体に曝射させたときに前記Ｘ線検出器により発生する前記投影データに基づいて前記被検体のスキャノ画像を取得するスキャノ画像取得部と、
前記スキャノ画像に対してＣＴ値のばらつきの標準偏差を設定する標準偏差設定部と、
前記標準偏差に基づいて前記Ｘ線管に流れる管電流値の変化を求め、この管電流値の変化から所定の管電流値を設定する管電流値設定部と、
前記Ｘ線管に一定の前記所定の管電流値を供給した状態で、前記Ｘ線管を回転させて前記Ｘ線を前記被検体に曝射し、前記被検体を透過した前記Ｘ線を前記Ｘ線検出器により検出しその投影データを収集する心電同期スキャン部と、
前記投影データを再構成して前記被検体の断層像データを取得する再構成部と、
を具備することを特徴とするＸ線コンピュータ断層撮影装置。
【請求項９】
Ｘ線を被検体に曝射するＸ線管と、
前記被検体を透過した前記Ｘ線を検出して投影データを発生するＸ線検出器と、
前記被検体の心拍を測定する心拍計測器と、
前記Ｘ線管から前記Ｘ線を前記被検体に曝射させたときに前記Ｘ線検出器により発生する前記投影データに基づいて前記被検体のスキャノ画像を取得するスキャノ画像取得部と、
前記スキャノ画像に対してＣＴ値のばらつきの標準偏差を設定する標準偏差設定部と、
前記標準偏差に基づいて心電同期スキャンによる撮影条件に応じて前記Ｘ線管に流れる管電流値の変化を求める管電流演算部と、
前記スキャノ画像上で心電同期スキャンの管電流を決定する位置を決定するスキャン位置決定部と、
前記心電同期スキャンの管電流を決定する位置に応じた前記Ｘ線管に流れる管電流値を前記管電流値の変化から設定する管電流値設定部と、
この設定された一定の管電流値の前記管電流を前記Ｘ線管に供給した状態で、前記Ｘ線管を回転させて前記Ｘ線を前記被検体に曝射し、前記被検体を透過した前記Ｘ線を前記Ｘ線検出器により検出しその投影データを収集する心電同期スキャン部と、
前記投影データを再構成して前記被検体の断層像データを取得する再構成部と、
を具備することを特徴とするＸ線コンピュータ断層撮影装置。
【請求項１０】
前記標準偏差設定部は、前記スキャノ画像内に対して設定された心電同期撮影領域内に前記ＣＴ値のばらつきの標準偏差を設定することを特徴とする請求項８又は９記載のＸ線コンピュータ断層撮影装置。
【請求項１１】
前記管電流値設定部は、前記被検体の断層像データの撮影条件に応じて前記心電同期撮影領域内の前記Ｘ線管の回転毎の前記管電流値の変化を求め、この管電流値の変化から最大管電流値を設定することを特徴とする請求項８記載のＸ線コンピュータ断層撮影装置。
【請求項１２】
前記標準偏差設定部は、前記標準偏差に基づいて前記Ｘ線管に流れる前記管電流値の変化を求めた後、再度、前記標準偏差を変更設定し、
前記管電流値設定部は、前記変更設定された前記標準偏差に基づいて前記Ｘ線管に流れる管電流値の変化を再度求め、この管電流値の変化から最大管電流値を再設定する、
ことを特徴とする請求項８記載のＸ線コンピュータ断層撮影装置。
【請求項１３】
Ｘ線を被検体に曝射するＸ線管と、
前記被検体を透過した前記Ｘ線を検出して投影データを発生するＸ線検出器と、
前記被検体の心拍を測定する心拍計測器と、
前記Ｘ線管から前記Ｘ線を前記被検体に曝射させたときに前記Ｘ線検出器により発生する前記投影データに基づいて前記被検体のスキャノ画像を取得するスキャノ画像取得部と、
前記スキャノ画像に基づいて前記寝台の移動速度を可変する通常ヘリカルスキャンの領域と、前記寝台の移動速度を一定とする心電同期ヘリカルスキャンの領域とを設定するスキャン領域設定部と、
前記スキャノ画像に対してＣＴ値のばらつきの標準偏差を設定する標準偏差設定部と、
前記通常ヘリカルスキャンの領域に対して当該通常ヘリカルスキャンの撮影条件に応じて前記Ｘ線管の回転毎の前記管電流値の変化を求め、この管電流値の変化を設定する第１の管電流設定部と、
前記心電同期ヘリカルスキャンの領域に対して当該心電同期ヘリカルスキャンの撮影条件に応じて前記Ｘ線管の回転毎の前記管電流値の変化を求め、この管電流値の変化から所定の管電流値を設定する第２の管電流設定部と、
前記通常ヘリカルスキャンの領域に対して前記設定された管電流値に変化する前記管電流を前記Ｘ線管に供給した状態で、前記Ｘ線管を回転させてＸ線を被検体に曝射し、前記被検体を透過した前記Ｘ線をＸ線検出器により検出しその投影データを収集する第１の投影データ取得部と、
前記心電同期ヘリカルスキャンの領域に対して一定の前記所定の管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する第２の投影データ取得部と、
前記第１又は前記第２のデータ収集部によって収集された前記投影データを再構成して前記被検体の断層像データを取得する再構成部と、
を具備することを特徴とするＸ線コンピュータ断層撮影装置。
【請求項１４】
前記撮影条件は、少なくとも前記Ｘ線管及び前記Ｘ線検出器を回転させる回転速度、前記被検体を載置する寝台の移動速度、前記投影データを再構成して取得する前記被検体の画像データのスライス厚を有することを特徴とする請求項９、１１又は１３のうちいずれか１項記載のＸ線コンピュータ断層撮影装置。
【発明の詳細な説明】
【技術分野】
【０００１】
本発明は、例えば人体等の被検体の特定の心拍位相に従って投影データを収集するための心電同期スキャン方法、及びこの心電同期スキャン方法により収集された投影データを再構成してＸ線ＣＴ画像を取得するＸ線コンピュータ断層撮影装置に関する。
【背景技術】
【０００２】
Ｘ線ＣＴ装置には、リアルＥＣ（real ＥＣ）と呼ばれる技術がある。このリアルＥＣは、スキャノ画像のＣＴ値から指定した画像ＳＤ（標準偏差）に対してＸ線管に流れる管電流（ｍＡ）を自動計算するもので、管電流は、Ｘ線管の各回転毎に求められる。リアルＥＣに関する技術は、例えば特許文献１に開示されている。
【０００３】
例えば心拍等の運動をしている心臓等の検査には、一般的に心電同期ヘリカルスキャンが行われる。この心電同期ヘリカルスキャンは、心臓領域に対してＸ線をスキャンして投影データを収集し、このスキャンと並行して心電図同期信号（トリガ信号、Ｒ波信号）又は心電図波形信号（ＥＣＧ信号）を収集し、投影データの収集後、心電図波形信号等を用いて心拍位相に同期した投影データを集め、これら投影データを再構成する例えばセグメント再構成を行って画像を取得する。
【０００４】
このセグメント再構成では、複数の投影データセット（複数のセグメントと称する）から構成される。複数のセグメントセットは、複数の心拍周期にそれぞれ対応する。複数のセグメントセットは、それぞれ特定の心拍位相を中心とする所定の時間幅を有する特定期間内に収集された投影データの集合である。すなわち、セグメント再構成は、複数のビートすなわち互いに異なる被検体の各領域の投影データを集めて再構成を行う。例えば図１１は例えば３心拍周期から６５％の心拍位相を中心とする所定期間内に収集した３つのセグメントＡ、Ｂ、Ｃを示す。セグメント再構成は、これらセグメントＡ、Ｂ、Ｃの投影データを集めて再構成を行う。心電同期ヘリカルスキャンに関する技術は、例えば特許文献２、３に開示されている。
【０００５】
しかしながら、心臓領域撮影時の心電同期ヘリカルスキャンでは、リアルＥＣが使用できない。この理由は、セグメント構成では、被検体の互いに異なる各領域の投影データを集めて再構成を行う。一方、リアルＥＣは、スキャノ画像のＣＴ値から指定した画像ＳＤに対してＸ線管に流れる管電流値を自動計算するので、被検体の互いに異なる各領域でそれぞれ異なる管電流値が算出されることになる。このため、被検体の互いに異なる各領域で管電流値が異なると、画像の画質に影響を与える。従って、心臓領域撮影時の心電同期ヘリカルスキャンでは、Ｘ線管に流れる管電流値の設定を検査技師の経験と判断に任せているのが現状である。  
一般に心臓領域の撮影では、画質を優先することが多い。検査技師による管電流値の設定では、適切な管電流値よりも高めの管電流値に設定する場合があり、この場合には、過剰なＸ線の被曝になる。一方、管電流値が低すぎると、画像の画質が劣化する。  
心電同期ヘリカルスキャンモードをオフ状態としてリアルＥＣを用いて管電流を計算し、この管電流値を設定することが考えられる。このリアルＥＣは、通常のヘリカルスキャンにおける寝台速度で寝台を移動させてスキャノ画像を取得し、このスキャノ画像のＣＴ値から指定した画像ＳＤに対してＸ線管に流れる管電流を自動計算する。
【０００６】
しかしながら、心電同期ヘリカルスキャンは、通常のヘリカルスキャンで用いる寝台速度（ＨＰ）よりも遅い寝台速度で撮影が行われる。このため、管電流値は、心電同期ヘリカルスキャンでの寝台速度で求めたものでなく、通常のヘリカルスキャンで用いる寝台速度で求めたものとなり、高い管電流値が設定されてしまう。心電同期ヘリカルスキャンに対して最適な管電流値を設定することができない。
【特許文献１】特開２００６−５５６３５号公報
【特許文献２】特開２００５−２３０４２６号公報
【特許文献３】特開２００７−１１７７１９号公報
【発明の開示】
【発明が解決しようとする課題】
【０００７】
本発明の目的は、心電同期ヘリカルスキャンにおいて検査技師の経験や判断に拠らず、画像の画質を維持し、過剰なＸ線の被曝とならない適切な管電流値を設定できる心電同期スキャン方法及びＸ線コンピュータ断層撮影装置を提供することにある。
【課題を解決するための手段】
【０００８】
請求項１に記載の心電同期スキャン方法は、Ｘ線を被検体に曝射するＸ線管と、前記被検体を透過した前記Ｘ線を検出して投影データを発生するＸ線検出器とを有し、前記被検体の断層像データを取得するＸ線コンピュータ断層撮影装置を用いた心電同期スキャン方法において、前記Ｘ線コンピュータ断層撮影装置によって前記被検体のスキャノ画像を取得し、前記スキャノ画像に対してＣＴ値のばらつきの標準偏差を設定し、前記標準偏差に基づいて前記Ｘ線管に流れる管電流値の変化を求め、この管電流値の変化から所定の管電流値を設定し、前記Ｘ線管に一定の前記所定の管電流値を供給した状態で、前記Ｘ線管を回転させてＸ線を被検体に曝射し、前記被検体を透過した前記Ｘ線をＸ線検出器により検出しその投影データを収集する。
【０００９】
請求項２に記載の心電同期スキャン方法は、Ｘ線を被検体に曝射するＸ線管と、前記被検体を透過した前記Ｘ線を検出して投影データを発生するＸ線検出器とを有し、前記被検体の断層像データを取得するＸ線コンピュータ断層撮影装置を用いた心電同期スキャン方法において、前記Ｘ線コンピュータ断層撮影装置によって前記被検体のスキャノ画像を取得し、前記スキャノ画像に対してＣＴ値のばらつきの標準偏差を設定し、前記標準偏差に基づいて心電同期スキャンによる撮影条件に応じて前記Ｘ線管に流れる管電流値の変化を求め、前記スキャノ画像上で心電同期スキャンの管電流を決定する位置を決定し、前記心電同期スキャンの管電流を決定する位置に応じた前記Ｘ線管に流れる管電流値を前記管電流値の変化から設定し、この設定された一定の管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する。
【００１０】
請求項６に記載の心電同期スキャン方法は、Ｘ線管を回転させてＸ線を被検体に曝射すると共に、前記被検体を載置する寝台の移動速度を一定又は可変して移動し、前記被検体を透過した前記Ｘ線をＸ線検出器により検出しその投影データを発生し、かつ前記被検体の特定の心拍位相に従って収集した前記投影データを再構成して前記被検体の断層像データを取得するＸ線コンピュータ断層撮影装置を用いた心電同期スキャン方法において、前記Ｘ線コンピュータ断層撮影装置によって前記被検体のスキャノ画像を取得し、前記スキャノ画像に基づいて前記寝台の移動速度を可変する通常ヘリカルスキャンの領域と、前記寝台の移動速度を一定とする心電同期ヘリカルスキャンの領域とを設定し、前記スキャノ画像に対してＣＴ値のばらつきの標準偏差を設定し、前記通常ヘリカルスキャンの領域に対して当該通常ヘリカルスキャンの撮影条件に応じて前記Ｘ線管の回転毎の前記管電流値の変化を求め、この管電流値の変化を設定し、前記心電同期ヘリカルスキャンの領域に対して当該通常ヘリカルスキャンの撮影条件に応じて前記Ｘ線管の回転毎の前記管電流値の変化を求め、この管電流値の変化から所定の管電流値を設定し、前記通常ヘリカルスキャンの領域に対して前記設定された管電流値に変化する前記管電流を前記Ｘ線管に供給した状態で、前記Ｘ線管を回転させてＸ線を被検体に曝射し、前記被検体を透過した前記Ｘ線をＸ線検出器により検出しその投影データを収集し、前記心電同期ヘリカルスキャンの領域に対して一定の前記所定の管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する。
【００１１】
請求項７に記載のＸ線コンピュータ断層撮影装置は、Ｘ線を被検体に曝射するＸ線管と、前記被検体を透過した前記Ｘ線を検出して投影データを発生するＸ線検出器と、前記被検体の心拍を測定する心拍計測器と、前記Ｘ線管から前記Ｘ線を前記被検体に曝射させたときに前記Ｘ線検出器により発生する前記投影データに基づいて前記被検体のスキャノ画像を取得するスキャノ画像取得部と、前記スキャノ画像に対してＣＴ値のばらつきの標準偏差を設定する標準偏差設定部と、前記標準偏差に基づいて前記Ｘ線管に流れる管電流値の変化を求め、この管電流値の変化から所定の管電流値を設定する管電流値設定部と、前記Ｘ線管に一定の前記所定の最大管電流値を供給した状態で、前記Ｘ線管を回転させて前記Ｘ線を前記被検体に曝射し、前記被検体を透過した前記Ｘ線を前記Ｘ線検出器により検出しその投影データを収集する心電同期スキャン部と、前記投影データを再構成して前記被検体の断層像データを取得する再構成部とを具備する。
【００１２】
請求項８に記載のＸ線コンピュータ断層撮影装置は、Ｘ線を被検体に曝射するＸ線管と、前記被検体を透過した前記Ｘ線を検出して投影データを発生するＸ線検出器と、前記被検体の心拍を測定する心拍計測器と、前記Ｘ線管から前記Ｘ線を前記被検体に曝射させたときに前記Ｘ線検出器により発生する前記投影データに基づいて前記被検体のスキャノ画像を取得するスキャノ画像取得部と、前記スキャノ画像に対してＣＴ値のばらつきの標準偏差を設定する標準偏差設定部と、前記標準偏差に基づいて前記Ｘ線管に流れる管電流値の変化を求める管電流演算部と、前記スキャノ画像上で心電同期スキャンを行う位置を決定するスキャン位置決定部と、前記心電同期スキャンを行う位置に応じた前記Ｘ線管に流れる管電流値を前記管電流値の変化から設定する管電流値設定部と、この設定された一定の管電流値の前記管電流を前記Ｘ線管に供給した状態で、前記Ｘ線管を回転させて前記Ｘ線を前記被検体に曝射し、前記被検体を透過した前記Ｘ線を前記Ｘ線検出器により検出しその投影データを収集する心電同期スキャン部と、前記投影データを再構成して前記被検体の断層像データを取得する再構成部とを具備する。
【００１３】
請求項１２に記載のＸ線コンピュータ断層撮影装置は、Ｘ線を被検体に曝射するＸ線管と、前記被検体を透過した前記Ｘ線を検出して投影データを発生するＸ線検出器と、前記被検体の心拍を測定する心拍計測器と、前記Ｘ線管から前記Ｘ線を前記被検体に曝射させたときに前記Ｘ線検出器により発生する前記投影データに基づいて前記被検体のスキャノ画像を取得するスキャノ画像取得部と、前記スキャノ画像に基づいて前記寝台の移動速度を一定とする通常ヘリカルスキャンの領域と、前記寝台の移動速度を可変する心電同期ヘリカルスキャンの領域とを設定するスキャン領域設定部と、前記スキャノ画像に対してＣＴ値のばらつきの標準偏差を設定する標準偏差設定部と、前記通常ヘリカルスキャンの領域に対して当該通常ヘリカルスキャンの撮影条件に応じて前記Ｘ線管の回転毎の前記管電流値の変化を求め、この管電流値の変化を設定する第１の管電流設定部と、前記心電同期ヘリカルスキャンの領域に対して当該通常ヘリカルスキャンの撮影条件に応じて前記Ｘ線管の回転毎の前記管電流値の変化を求め、この管電流値の変化から所定の管電流値を設定する第２の管電流設定部と、前記通常ヘリカルスキャンの領域に対して前記設定された管電流値に変化する前記管電流を前記Ｘ線管に供給した状態で、前記Ｘ線管を回転させてＸ線を被検体に曝射し、前記被検体を透過した前記Ｘ線をＸ線検出器により検出しその投影データを収集する第１の投影データ取得部と、前記心電同期ヘリカルスキャンの領域に対して一定の前記所定の管電流値の前記管電流を前記Ｘ線管に供給した状態で、前記Ｘ線管を回転させてＸ線を被検体に曝射し、前記被検体を透過した前記Ｘ線をＸ線検出器により検出しその投影データを収集する第２の投影データ取得部と、前記第１又は前記第２のデータ収集部によって収集された前記投影データを再構成して前記被検体の断層像データを取得する再構成部とを具備する。
【発明の効果】
【００１４】
本発明によれば、心電同期ヘリカルスキャンにおいて検査技師の経験や判断に拠らず、画像の画質を維持し、過剰なＸ線の被曝とならない適切な管電流値を設定できる心電同期スキャン方法及びＸ線コンピュータ断層撮影装置を提供できる。
【発明を実施するための最良の形態】
【００１５】
以下、本発明の第１の実施の形態について図面を参照して説明する。  
図１はＸ線コンピュータ断層撮影装置の構成図を示す。このＸ線コンピュータ断層撮影装置は、人体等の被検体（患者）Ｐに関する投影データを収集するためのスキャン部１と、被検体Ｐを乗せるための寝台装置２と、スキャン部１及び寝台装置２を制御すると共にスキャン部１によって収集されたデータに基づく再構成処理や画像表示等を行うコンソール３とを備える。
【００１６】
スキャン部１は、Ｘ線管４と２次元Ｘ線検出器５とを備える。これらＸ線管４と２次元Ｘ線検出器５とは、対向配置された状態でリング状の回転フレーム６に搭載されている。この回転フレーム６には、回転駆動装置７が接続されている。この回転駆動装置７は、回転フレーム６を回転駆動することによりＸ線管４と２次元Ｘ線検出器５とを対向配置した状態で回転する。これにより、Ｘ線管４と２次元Ｘ線検出器５とは、被検体Ｐの周囲を回転する。なお、回転フレーム６の回転軸をＺ軸と定義する。Ｚ軸を中心とした回転座系において、Ｘ線管４の焦点から２次元Ｘ線検出器５の検出面中心を結ぶＺ軸に直交する軸をＸ軸と定義する。Ｙ軸はＺ軸とＸ軸とに対して共に直交する。
【００１７】
Ｘ線管４には、高圧発生部８が接続されている。この高圧発生部８は、Ｘ線管４に対しして高電圧を印加する。具体的には、Ｘ線管４の陰極−陽極間に高圧発生部８が接続されている。これにより、Ｘ線管４の陰極−陽極間に高圧発生部８から管電圧が印加され、これと共にＸ線管４のフィラメントに高圧発生部８からフィラメント電流（管電流）が供給される。これら管電圧の印加及びフィラメント電流の供給によりＸ線管４の陽極のターゲットからＸ線が発生する。このＸ線管４から放射されたＸ線は、コリメータ９を通過し、検体Ｐを透過して２次元Ｘ線検出器５に入射する。  
コリメータ９は、Ｘ線管４と２次元Ｘ線検出器５との間におけるＸ線管４側に設けられている。このコリメータ９は、絞り駆動装置１０によってコリメータ９の絞り開口の大きさを調整する。実際にコリメータ９は、Ｘ線管４のＸ線放射窓に取り付けられる。このコリメータ９は、Ｘ線管４の焦点で発生し、Ｘ線放射窓から放射されるＸ線を任意位置で任意の大きさにトリミングする。
【００１８】
２次元Ｘ線検出器５は、被検体Ｐを透過したＸ線を検出する。この２次元Ｘ線検出器５は、例えばマルチスライス型（多列型）、シングルスライス型（一列型）のいずれでも良いが、ここではＸ線変調機能より被曝低減効果の大きいマルチスライス型検出器として説明する。２次元Ｘ線検出器５は、Ｘ線を検出する複数のＸ線検出素子をチャンネル方向（Ｙ軸方向に近似）と被検体Ｐのスライス方向（ｚ軸方向）とにそれぞれ設けている。これらＸ線検出素子は、例えば、チャンネル方向に例えば約６００〜１０００個、スライス方向に例えば２４列〜２５６列並設される。ここでは、２次元Ｘ線検出器５は、複数のＸ線検出素子を例えばチャンネル方向に１０００個、スライス方向に６４列配列並設して例えば０．５ｍｍ×０．５ｍｍの正方形の受光面を形成した多列検出器を構成する。複数のＸ線検出素子は、例えばシンチレータとフォトダイオードォトチップとを有している。この２次元Ｘ線検出器５は、均等サイズのＸ線検出素子をスライス方向に配列したマルチスライス型検出器、サイズの異なるＸ線検出素子をスライス方向に複数配列した不均等ピッチのマルチスライス型検出器のいずれでも適用可能である。
【００１９】
２次元Ｘ線検出器５は、データ収集部（ＤＡＳ：Ｄata Ａcquisition Ｓystem）１１に接続されている。２次元Ｘ線検出器５からチャンネル毎に出力されるＸ線検出信号は、データ収集部１１に収集される。このデータ収集部１１は、２次元Ｘ線検出器５からチャンネル毎に出力されるＸ線検出信号を電圧信号に変換し、増幅し、さらにデジタル信号に変換し、投影データとして出力する。  
寝台装置２には、天板１２が設けられている。この天板１２は、寝台駆動装置１３によりスライス方向（Ｚ軸方向）に移動する。
【００２０】
スキャン制御部１４は、回転駆動装置７と、高圧発生部８と、絞り駆動装置１０と、データ収集部１１と、寝台駆動装置１３とを制御し、Ｘ線管４と２次元Ｘ線検出器５とを対向配置した状態で一定の回転速度で回転させ、この状態でＸ線管４からＸ線を放射させて被検体Ｐを透過したＸ線を２次元Ｘ線検出器５により検出して投影データを収集させ、かつＸ線管４と２次元Ｘ線検出器５との回転に同期させて天板１２を連続的にスライス方向（Ｚ軸方向）に移動させる。これにより、Ｘ線管４を被検体Ｐに対して相対的に螺旋状に移動し、その螺旋軌道上の複数位置で投影データを収集するいわゆるヘリカルスキャンが実現できる。
【００２１】
なお、本実施の形態は、一例として多列検出器の同時収集であるマルチヘリカルスキャンにより得られた投影データを処理する場合について説明するが、これに限らず、天板１３を静止した状態で連続的に投影データを収集するダイナミックスキャン、ある位置で天板１３を静止した状態で１回転分の投影データを収集し、その後、天板１３を移動して停止した後、次の位置で１回転分の投影データを収集する動作を繰り返すコンベンショナルスキャンに適用可能である。  
又、回転フレーム６には、中央部に開口部が形成されている。スキャン時には、その開口部に寝台装置２の天板１２上に載置された被検体Ｐが挿入される。
【００２２】
心拍計測器としての心電計１５が備えられている。この心電計１５は、被検体Ｐに取り付けた電極から被検体Ｐの心拍に応じた心電信号を検出するためのものであって、被検体Ｐの心臓から生じる微弱な電流を検出し、検出された電流の時間変化を心電図情報として出力する。しかるに、心電計１５から出力される心電図情報は、Ｐ波、Ｑ波、Ｒ波、Ｓ波、Ｔ波の情報を含む。この心電図情報のうち例えばＲ波に基づいて心拍数が求められる。
【００２３】
コンソール３は、スキャン部１に対してスキャノ画像を取得するための指令や、心電計１５から出力される心電図情報に基づいて心電同期ヘリカルスキャンを行わせ、かつこの心電同期ヘリカルスキャンにより取得される投影データを再構成して被検体Ｐの画像を取得する。このコンソール３は、ＣＰＵ等から成る主制御部２０を有し、この主制御部２０に対して投影データ記憶部２１と、画像記憶部２２と、心電情報記憶部２３と、表示装置２４と、操作部２５とが接続されている。又、主制御部２０から発せられる指令により前処理部２６と、再構成部２７と、画像処理部２８と、スキャノ画像取得部２９と、標準偏差（ＳＤ）設定部３０と、最大管電流設定部３１と、心電同期スキャン部３２とが動作するものとなっている。
【００２４】
前処理部２６は、データ収集部１１から出力される投影データに対してオフセット補正、レファレンス補正、感度補正等の補正処理を施す。この前処理部２６から出力される投影データは、投影データ記憶部２１に記憶される。  
一方、心電情報記憶部２３には、心電計１５から出力される心電図情報が記憶される。  
なお、投影データは、データ収集時のＸ線管４の回転角度を表すビュー、チャンネル番号、列番号等を表す各コードと関連付けられ、かつ心電計１５から出力される心電図情報と関連付け、すなわち同期付けられて投影データ記憶部２１に記憶される。
【００２５】
再構成部２７は、心電情報記憶部２３に記憶された心電図情報と、投影データ記憶部２１に記憶された投影データに基づいて心電同期再構成を行う。この再構成部２７は、心電同期再構成として例えばハーフ再構成機能と、セグメント再構成機能とを備える。ハーフ再構成では、Ｘ線管４が１８０度＋α（α：扇状Ｘ線のファン角）の範囲をカバーする投影データグループを要する。セグメント再構成法では、投影データグループを複数の投影データセットすなわち複数のセグメントにより構成する。複数のセグメントは、複数の心拍周期にそれぞれ対応する。複数のセグメントは、それぞれ特定の心拍位相（再構成中心位相）を中心とした所定の時間幅を有する特定期間内に収集された投影データの集合である。例えば上記図１１は例えば３心拍周期から６５％の心拍位相を中心とする所定期間内に収集した３つのセグメントＡ、Ｂ、Ｃを示す。セグメント再構成は、これらセグメントＡ、Ｂ、Ｃの投影データを集めて再構成を行い、被検体ＰのＣＴ画像、例えば３次元（３Ｄ）画像データや動画の３Ｄ画像データすなわち４Ｄ画像データを取得する。この再構成部２７の再構成により取得された３Ｄ画像データや４Ｄ画像データは、画像記憶部２２に記憶される。  
画像処理部２８は、画像記憶部２２に記憶されている例えば３Ｄ画像データからＭＰＲによる例えばアキシャル、コロナル、サジタル等の３方位断面の各断面画像データの生成、３Ｄ画像データからＭＩＰ像の生成などの画像処理を行い、表示装置２４に表示する。
【００２６】
スキャノ画像取得部２９は、被検体ＰのＣＴ画像を取得する前に、スキャンの開始位置及びＣＴ画像を取得するときの撮影条件等を決定するための被検体Ｐの２次元のスキャノ画像を取得する。この被検体Ｐのスキャノ画像は、Ｘ線管４の位置を所定の回転角度に固定し、寝台装置２の天板１２をスライス方向（Ｚ方向）に移動させる。このとき、Ｘ線管４は、Ｘ線を被検体Ｐに曝射する。２次元Ｘ線検出器５は、被検体Ｐを透過したＸ線を受光し、このＸ線受光量に応じたＸ線検出信号を各受光素子毎に出力する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。しかるに、スキャノ画像取得部２９は、投影データ記憶部２１に記憶された投影データを読み取り、この投影データから被検体Ｐの２次元のスキャノ画像を取得する。
【００２７】
ＳＤ設定部３０は、スキャノ画像取得部２９のより取得されたスキャノ画像に対してＣＴ値のばらつきの標準偏差（ＳＤ値）を設定する。このＳＤ設定部３０は、例えば被検体Ｐに対して設定された心電同期撮影領域内にＣＴ値のばらつきのＳＤ値を設定する。このＳＤ設定部３０は、ＳＤ値に基づいてＸ線管４に流れる管電流値の変化を求めた後、再度、ＳＤ値を変更設定可能である。なお、心電同期撮影領域は、例えばオペレータ等が操作部２５を操作して設定される。
【００２８】
最大管電流設定部３１は、ＳＤ設定部３０により設定されたＳＤ値に基づいてＸ線管４に流れる管電流値の変化を自動的に演算して求め、この管電流値の変化から所定の管電流値、ここでは最大管電流値を設定する。図２はＳＤ値に基づいて演算して求められたＸ線管４に流れる管電流値Ｉの変化の一例を示す。被検体Ｐには、心電同期撮影を行う領域Ｅが設定されている。  
具体的に最大管電流値設定部は、被検体ＰのＣＴ画像の撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて心電同期撮影領域Ｅ内のＸ線管４の回転毎の管電流値Ｉの変化を演算して求め、この管電流値Ｉの変化から最大管電流値Ｉｍを求め、この最大管電流値Ｉｍを設定する。なお、ＳＤ設定部３０によって再度、ＳＤ値が変更設定されると、最大管電流値設定部３１は、変更設定されたＳＤ値に基づいてＸ線管４に流れる管電流値Ｉの変化を再度求め、この管電流値Ｉの変化から最大管電流値Ｉｍを再設定する。
【００２９】
心電同期スキャン部３２は、最大管電流値設定部３１により設定された最大管電流値Ｉｍを受け取ってスキャン制御部１４に設定し、かつスキャン制御部１４にスキャン指令を発して回転駆動装置７と、高圧発生部８と、絞り駆動装置１０と、データ収集部１１と、寝台駆動装置１３とを制御し、一定の最大管電流値ＩｍをＸ線管４に供給した状態で、Ｘ線管４を回転させてＸ線を被検体Ｐに曝射し、被検体Ｐを透過したＸ線を２次元Ｘ線検出器５により検出しその投影データを発生し、収集する。  
操作部２５は、例えばマウス等のポインティングデバイスやキーボード等を有する。
【００３０】
次に、上記の如く構成された装置による心電同期撮影の動作について図３に示す心電同期撮影動作フローチャートに従って説明する。  
スキャノ画像取得部２９は、ステップ＃１において、被検体ＰのＣＴ画像を取得する前に、スキャンの開始位置及びＣＴ画像を取得するときの撮影条件等を決定するための被検体Ｐの２次元のスキャノ画像を取得する。すなわち、スキャノ画像取得部２９は、Ｘ線管４の位置を所定の回転角度に固定し、寝台装置２の天板１２をスライス方向（Ｚ方向）に移動させる指令をスキャン制御部１４を通して寝台装置２に発し、かつＸ線管４からＸ線を放射させる指令をスキャン制御部１４を通して高圧発生部８に発する。これにより、Ｘ線管４は、所定の回転角度に固定され、寝台装置２、天板１２をスライス方向（Ｚ方向）に移動する。この状態で、Ｘ線管４は、Ｘ線を被検体Ｐに曝射する。このＸ線は、被検体Ｐを透過して２次元Ｘ線検出器５に入射する。この２次元Ｘ線検出器５は、被検体Ｐを透過したＸ線を受光し、このＸ線受光量に応じたＸ線検出信号を各受光素子毎に出力する。
【００３１】
データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。  
スキャノ画像取得部２９は、投影データ記憶部２１に記憶された投影データを読み取り、この投影データから被検体Ｐの２次元のスキャノ画像を取得する。  
次に、心電同期撮影領域Ｅが例えばオペレータ等が操作部２５を操作することにより入力される。主制御部２０は、ステップ＃２において、操作部２５から入力された心電同期撮影領域Ｅを被検体Ｐの２次元のスキャノ画像上に設定する。
【００３２】
次に、ＳＤ設定部３０は、ステップ＃３において、例えば被検体Ｐに対して設定された心電同期撮影領域Ｅ内にＣＴ値のばらつきのＳＤ値を設定する。  
次に、最大管電流値設定部は、ステップ＃４において、被検体ＰのＣＴ画像の撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図２に示すように心電同期撮影領域Ｅ内のＸ線管４の回転毎の管電流値Ｉの変化を自動的に演算して求める。
【００３３】
最大管電流値設定部は、ステップ＃５において、自動的に演算して求めたＸ線管４の回転毎の管電流値Ｉの変化を表示装置２４に表示する。ここで、心電同期撮影領域Ｅ内のＸ線管４の回転毎の管電流値Ｉの変化の最大管電流値Ｉｍが大き過ぎる等で被検体Ｐに対するＸ線曝射量が大きくなるおそれがある場合、例えばオペレータ等によりＳＤ値の再設定の操作が操作部２５に行われる。この操作部２５からのＳＤ値の再設定の操作を受けて主制御部２０は、再び、ステップ＃３に戻り、ＳＤ設定部３０に対してＳＤ値の再設定の指令を発する。  
心電同期撮影領域Ｅ内のＸ線管４の回転毎の管電流値Ｉの変化の最大管電流値Ｉｍが最適であれば、最大管電流値設定部は、ステップ＃６において、管電流値Ｉの変化から最大管電流値Ｉｍを求め、この最大管電流値Ｉｍを設定する。
【００３４】
次に、心電同期スキャン部３２は、ステップ＃７において、最大管電流値設定部３１により設定された最大管電流値Ｉｍを受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、投影データを収集するという心電同期撮影を行わせる。
【００３５】
すなわち、Ｘ線管４には、高圧発生部８から高電圧が印加されると共に、一定の最大管電流値Ｉｍの管電流が供給される。これにより、Ｘ線管４は、Ｘ線を放射する。この状態で、Ｘ線管４と２次元Ｘ線検出器５とは、対向配置した状態で一定の回転速度で回転する。これらＸ線管４と２次元Ｘ線検出器５との回転に同期して寝台装置２の天板１２は、被検体Ｐを載置した状態で連続的にスライス方向（Ｚ軸方向）に移動する。これにより、Ｘ線管４を被検体Ｐに対して相対的に螺旋状に移動し、その螺旋軌道上の複数位置で投影データを収集するいわゆるヘリカルスキャンが行われる。このヘリカルスキャン時に、Ｘ線管４から放射されたＸ線は、被検体Ｐを透過して２次元Ｘ線検出器５に入射する。
【００３６】
この２次元Ｘ線検出器５は、被検体Ｐを透過したＸ線を受光し、このＸ線受光量に応じたＸ線検出信号を各受光素子毎に出力する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。
【００３７】
これと共に、心電計１５は、被検体Ｐに取り付けた電極から被検体Ｐの心拍に応じた心電信号、すなわち被検体Ｐの心臓から生じる微弱な電流を検出し、検出された電流の時間変化を心電図情報として出力する。この心電計１５から出力された心電図情報は、心電情報記憶部２３に記憶される。このとき投影データは、データ収集時のＸ線管４の回転角度を表すビュー、チャンネル番号、列番号等を表す各コードと関連付けられ、かつ心電計１５から出力される心電図情報と関連付け、すなわち同期付けられて投影データ記憶部２１に記憶される。
【００３８】
再構成部２７は、心電情報記憶部２３に記憶された心電図情報と、投影データ記憶部２１に記憶された投影データに基づいて心電同期再構成を行う。この再構成部２７は、心電同期再構成として例えばハーフ再構成又はセグメント再構成を行う。このうちハーフ再構成は、Ｘ線管４が１８０度＋αの範囲をカバーする投影データグループを要する。セグメント再構成は、投影データグループを複数の投影データセットすなわち複数のセグメントにより構成する。複数のセグメントは、複数の心拍周期にそれぞれ対応する。複数のセグメントは、それぞれ特定の心拍位相（再構成中心位相）を中心とした所定の時間幅を有する特定期間内に収集された投影データの集合である。例えば上記図１１は例えば３心拍周期から６５％の心拍位相を中心とする所定期間内に収集した３つのセグメントＡ、Ｂ、Ｃを示す。セグメント再構成は、これらセグメントＡ、Ｂ、Ｃの投影データを集めて再構成を行い、被検体ＰのＣＴ画像、例えば３次元（３Ｄ）画像データや動画の３Ｄ画像データすなわち４Ｄ画像データを取得する。この再構成部２７の再構成により取得された３Ｄ画像データや４Ｄ画像データは、画像記憶部２２に記憶される。  
画像処理部２８は、画像記憶部２２に記憶されている例えば３Ｄ画像データからＭＰＲによる例えばアキシャル、コロナル、サジタル等の３方位断面の各断面画像データの生成、３Ｄ画像データからＭＩＰ像の生成などの画像処理を行い、表示装置２４に表示する。
【００３９】
被検体Ｐに対して別の心電同期撮影領域Ｅを再設定する場合、主制御部２０は、ステップ＃２に戻り、再度、操作部２５から入力される別の心電同期撮影領域Ｅを被検体Ｐの２次元のスキャノ画像上に設定する。
【００４０】
このように上記第１の実施の形態によれば、被検体Ｐのスキャノ画像を取得し、このスキャノ画像に対してＣＴ値のＳＤ値を設定し、このＳＤ値に基づいてＸ線管４に流れる管電流値Ｉの変化を求め、この管電流値Ｉの変化から最大管電流値Ｉｍを設定し、Ｘ線管４に最大管電流値Ｉｍを供給した状態で、Ｘ線管４を回転させてＸ線を被検体Ｐに曝射し、被検体Ｐを透過したＸ線を２次元Ｘ線検出器５により検出しその投影データを発生し、収集する。
【００４１】
これにより、心電同期ヘリカルスキャンにおいて検査技師の経験や判断に拠らず、かつ検査技師による高い管電流値に設定されることなく、ＣＴ画像の画質を維持し、過剰なＸ線の被曝とならない適切な管電流値すなわち一定の最大管電流値Ｉｍに設定することができる。すなわち、リアルＥＣは、スキャノ画像のＣＴ値から指定した画像ＳＤに対してＸ線管４に流れる管電流値Ｉを自動計算するので、被検体Ｐの互いに異なる各領域でそれぞれ異なる管電流値Ｉが算出されることになるが、本装置では、一定の最大管電流値Ｉｍに設定することができるので、ＣＴ画像の画質に影響を与えることがない。一般に心臓領域の撮影では、画質を優先することが多いので、本装置は、心電同期撮影に有効である。
【００４２】
次に、本発明の第２の実施の形態について図面を参照して説明する。なお、図１と同一部分には同一符号を付してその詳しい説明は省略する。  
図４はＸ線コンピュータ断層撮影装置の構成図を示す。コンソール３は、主制御部２０から発せられる指令により管電流演算部４０と、スキャン位置決定部４１と、管電流値設定部４２とが動作するものとなっている。
【００４３】
管電流演算部４０は、ＳＤ設定部３０により設定されたＳＤ値に基づいて心電同期スキャンによる撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図５に示すようなＸ線管４に流れる管電流値Ｉの変化を自動的に演算して求める。
【００４４】
スキャン位置決定部４１は、例えば図５に示すようにスキャノ画像取得部２９により取得されたスキャノ画像上で心電同期スキャンを行う位置Ｈを決定する。  
管電流値設定部４２は、例えば図５に示すように心電同期スキャンを行う位置Ｈに応じたＸ線管４に流れる管電流値Ｉｆを管電流値Ｉの変化から設定する。
【００４５】
心電同期スキャン部３２は、管電流値設定部４２により設定された心電同期スキャンを行う位置Ｈに応じたＸ線管４に流れる管電流値Ｉｆを受け取ってスキャン制御部１４に設定し、かつスキャン制御部１４にスキャン指令を発して回転駆動装置７と、高圧発生部８と、絞り駆動装置１０と、データ収集部１１と、寝台駆動装置１３とを制御し、一定の管電流値ＩｆをＸ線管４に供給した状態で、Ｘ線管４を回転させてＸ線を被検体Ｐに曝射し、被検体Ｐを透過したＸ線を２次元Ｘ線検出器５により検出しその投影データを発生し、かつ心電計１５により計測される被検体Ｐの心拍から特定の心拍位相に従って投影データを収集する。
【００４６】
次に、上記の如く構成された装置による心電同期撮影の動作について図６に示す心電同期撮影動作フローチャートに従って説明する。  
スキャノ画像取得部２９は、ステップ＃１において、上記同様に、被検体ＰのＣＴ画像を取得する前に、スキャンの開始位置及びＣＴ画像を取得するときの撮影条件等を決定するための被検体Ｐの２次元のスキャノ画像を取得する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。スキャノ画像取得部２９は、投影データ記憶部２１に記憶された投影データを読み取り、この投影データから被検体Ｐの２次元のスキャノ画像を取得する。
【００４７】
次に、心電同期撮影領域Ｅが例えばオペレータ等が操作部２５を操作することにより入力される。主制御部２０は、操作部２５から入力された心電同期撮影領域Ｅを被検体Ｐの２次元のスキャノ画像上に設定する。  
次に、ＳＤ設定部３０は、ステップ＃３において、例えば被検体Ｐに対して設定された心電同期撮影領域Ｅ内にＣＴ値のばらつきのＳＤ値を設定する。
【００４８】
次に、管電流演算部４０は、ステップ＃１０において、ＳＤ設定部３０により設定されたＳＤ値に基づいて心電同期スキャンによる撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図５に示すようなＸ線管４に流れる管電流値Ｉの変化を自動的に演算して求める。
【００４９】
次に、管電流演算部４０は、ステップ＃５において、自動的に演算して求めたＸ線管４の回転毎の管電流値Ｉの変化を表示装置２４に表示する。ここで、心電同期撮影領域Ｅ内のＸ線管４の回転毎の管電流値Ｉの変化から心電同期スキャンを行う位置Ｈに対応する管電流値Ｉの大きさが大き過ぎる等で被検体Ｐに対するＸ線曝射量が大きくなるおそれがある場合、例えばオペレータ等によりＳＤ値の再設定の操作が操作部２５に行われる。この操作部２５からのＳＤ値の再設定の操作を受けて主制御部２０は、再び、ステップ＃３に戻り、ＳＤ設定部３０に対してＳＤ値の再設定の指令を発する。
【００５０】
次に、スキャン位置決定部４１は、ステップ＃１１において、例えば図５に示すようにスキャノ画像取得部２９により取得されたスキャノ画像上で心電同期スキャンの管電流を決定するための位置Ｈを決定する。  
次に、管電流値設定部４２は、ステップ＃１２において、例えば図５に示すように心電同期スキャンの管電流を決定するための位置Ｈに応じたＸ線管４に流れる管電流値Ｉｆを管電流値Ｉの変化から設定する。
【００５１】
次に、心電同期スキャン部３２は、ステップ＃７において、管電流値設定部４２により設定された管電流値Ｉｆを受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、心電同期撮影を行わせる。
【００５２】
すなわち、Ｘ線管４には、高圧発生部８から高電圧が印加されると共に、一定の管電流値Ｉｆの管電流が供給される。これにより、Ｘ線管４は、Ｘ線を放射する。この状態で、Ｘ線管４と２次元Ｘ線検出器５とは、対向配置した状態で一定の回転速度で回転する。これらＸ線管４と２次元Ｘ線検出器５との回転に同期して寝台装置２の天板１２は、被検体Ｐを載置した状態で連続的にスライス方向（Ｚ軸方向）に移動する。これにより、Ｘ線管４を被検体Ｐに対して相対的に螺旋状に移動し、その螺旋軌道上の複数位置で投影データを収集するいわゆるヘリカルスキャンが行われる。このヘリカルスキャン時に、Ｘ線管４から放射されたＸ線は、被検体Ｐを透過して２次元Ｘ線検出器５に入射する。
【００５３】
この２次元Ｘ線検出器５は、被検体Ｐを透過したＸ線を受光し、このＸ線受光量に応じたＸ線検出信号を各受光素子毎に出力する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。
【００５４】
これと共に、心電計１５は、被検体Ｐの心臓から生じる微弱な電流を検出し、検出された電流の時間変化を心電図情報として出力する。この心電計１５から出力された心電図情報は、心電情報記憶部２３に記憶される。このとき投影データは、データ収集時のＸ線管４の回転角度を表すビュー、チャンネル番号、列番号等を表す各コードと関連付けられ、かつ心電計１５から出力される心電図情報と関連付け、すなわち同期付けられて投影データ記憶部２１に記憶される。
【００５５】
再構成部２７は、上記同様に、心電情報記憶部２３に記憶された心電図情報と、投影データ記憶部２１に記憶された投影データに基づいて心電同期再構成を行う。この再構成部２７は、心電同期再構成として例えばハーフ再構成又はセグメント再構成を行う。  
画像処理部２８は、画像記憶部２２に記憶されている例えば３Ｄ画像データからＭＰＲによる例えばアキシャル、コロナル、サジタル等の３方位断面の各断面画像データの生成、３Ｄ画像データからＭＩＰ像の生成などの画像処理を行い、表示装置２４に表示する。  
被検体Ｐに対して別の心電同期撮影領域Ｅを再設定する場合、主制御部２０は、ステップ＃２に戻り、再度、操作部２５から入力される別の心電同期撮影領域Ｅを被検体Ｐの２次元のスキャノ画像上に設定する。
【００５６】
このように上記第２の実施の形態によれば、被検体Ｐのスキャノ画像を取得し、このスキャノ画像に対するＣＴ値のばらつきのＳＤ値を設定し、このＳＤ値に基づいて心電同期スキャンによる撮影条件に応じてＸ線管４に流れる管電流値Ｉの変化を求め、スキャノ画像上で心電同期スキャンの管電流を決定する位置Ｈを決定し、この心電同期スキャンの管電流を決定する位置Ｈに応じたＸ線管４に流れる管電流値Ｉｆを設定し、この設定された管電流値Ｉｆの管電流をＸ線管４に供給した状態で、Ｘ線管４を回転させてＸ線を被検体Ｐに曝射し、被検体Ｐを透過したＸ線を２次元Ｘ線検出器５により検出しその投影データを収集する。これにより、心電同期ヘリカルスキャンにおいて検査技師の経験や判断に拠らず、かつ検査技師による高い管電流値に設定されることなく、ＣＴ画像の画質を維持し、過剰なＸ線の被曝とならない適切な一定の管電流値Ｉｆに設定することができる。すなわち、リアルＥＣは、スキャノ画像のＣＴ値から指定した画像ＳＤに対してＸ線管４に流れる管電流値Ｉを自動計算するので、被検体Ｐの互いに異なる各領域でそれぞれ異なる管電流値Ｉが算出されることになるが、本装置では、心電同期スキャンの管電流を決定する位置Ｈに応じた一定の管電流値Ｉｆに設定することができるので、ＣＴ画像の画質に影響を与えることがない。一般に心臓領域の撮影では、画質を優先することが多いので、本装置は、心電同期撮影に有効である。
【００５７】
次に、本発明の第３の実施の形態について図面を参照して説明する。なお、図１と同一部分には同一符号を付してその詳しい説明は省略する。  
図７はＸ線コンピュータ断層撮影装置の構成図を示す。このコンピュータ断層撮影装置は、バリアブルＨＰヘリカルスキャンを行い、このバリアブルＨＰヘリカルスキャンにより取得される投影データを再構成して被検体Ｐの画像を取得する。バリアブルＨＰヘリカルスキャンは、１つのヘリカルスキャン中に寝台装置２の天板１２の移動速度を変えるスキャンで、心電同期ヘリカルスキャンと通常ヘリカルスキャンとを組み合わせて成る。
【００５８】
コンソール３は、主制御部２０から発せられる指令によりスキャン領域設定部５０と、第１の管電流設定部５１と、第２の管電流設定部５２と、第１の投影データ取得部５３と、第２の投影データ取得部５４とが動作するものとなっている。  
スキャン領域設定部５０は、スキャノ画像取得部２９により取得されたスキャノ画像に基づいて寝台装置２における天板１２のスライス方向への移動速度を一定とする通常ヘリカルスキャンの領域と、寝台装置２における天板１２のスライス方向への移動速度を可変する心電同期ヘリカルスキャンの領域とを設定する。例えば図８に示すように被検体Ｐにおける心臓を含む心電同期撮影を行う領域を心電同期ヘリカルスキャンの領域Ｊに設定し、その他の腹部等の撮影を行う領域を通常ヘリカルスキャンの領域Ｋに設定する。心電同期ヘリカルスキャン領域Ｊにおける寝台装置２の天板１２の移動速度は、通常ヘリカルスキャン領域Ｋにおける寝台装置２の天板１２の移動速度よりも遅く設定されている。
【００５９】
第１の管電流設定部５１は、通常ヘリカルスキャン領域Ｋに対して通常ヘリカルスキャンの撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じてＸ線管４の回転毎の管電流値の変化を自動的に演算して求め、この管電流値の変化を設定する。
【００６０】
第２の管電流設定部５２は、心電同期ヘリカルスキャン領域Ｊに対して心電同期ヘリカルスキャンの撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じてＸ線管４の回転毎の管電流値の変化を自動的に演算して求め、この管電流値の変化から最大管電流値を設定する。
【００６１】
第１の投影データ取得部５３は、通常ヘリカルスキャン領域Ｋに対して設定された管電流値に変化する管電流をＸ線管４に供給した状態で、Ｘ線管４を回転させてＸ線を被検体Ｐに曝射し、この被検体Ｐを透過したＸ線を２次元Ｘ線検出器５により検出しその投影データを発生し、投影データを収集する。
【００６２】
第２の投影データ取得部５４は、心電同期ヘリカルスキャン領域Ｊに対して最大管電流値の管電流をＸ線管４に供給した状態で、Ｘ線管４を回転させてＸ線を被検体Ｐに曝射し、この被検体Ｐを透過したＸ線を２次元Ｘ線検出器５により検出しその投影データを発生し、投影データを収集する。
【００６３】
再構成部２７は、第１の投影データ取得部５３によって収集された投影データと、第２の投影データ取得部５４によって収集された投影データとをそれぞれ再構成して被検体ＰのＣＴ画像を取得する。この再構成部２７は、心電同期ヘリカルスキャン時に第２の投影データ取得部５４によって収集された投影データを再構成する場合、心電情報記憶部２３に記憶された心電図情報に基づいて再構成を行う。このとき再構成部２７は、心電同期再構成として例えばハーフ再構成又はセグメント再構成を行う。
【００６４】
バリアブルＨＰヘリカルスキャン部５５は、心電同期ヘリカルスキャン領域Ｊに対して第２の管電流設定部５２により設定された最大管電流値Ｉｍを受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、投影データを収集するという心電同期撮影を行わせる。
【００６５】
又、バリアブルＨＰヘリカルスキャン部５５は、通常ヘリカルスキャン領域Ｋに対して第１の管電流設定部５１により設定されたＸ線管４の回転毎の管電流値Ｉの変化を受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、投影データを収集するという心電同期撮影を行わせる。
【００６６】
次に、上記の如く構成された装置によるバリアブルＨＰヘリカルスキャンによる心電同期撮影の動作について図９に示すバリアブルＨＰヘリカルスキャンの心電同期撮影動作フローチャートに従って説明する。  
スキャノ画像取得部２９は、ステップ＃１において、上記同様に、被検体ＰのＣＴ画像を取得する前に、スキャンの開始位置及びＣＴ画像を取得するときの撮影条件等を決定するための被検体Ｐの２次元のスキャノ画像を取得する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。スキャノ画像取得部２９は、投影データ記憶部２１に記憶された投影データを読み取り、この投影データから被検体Ｐの２次元のスキャノ画像を取得する。
【００６７】
次に、例えば図８に示すように被検体Ｐにおける心臓を含む心電同期撮影を行う心電同期ヘリカルスキャン領域Ｊと、その他の腹部等の撮影を行う通常ヘリカルスキャン領域Ｋとが例えばオペレータ等が操作部２５を操作することにより入力される。主制御部２０は、ステップ＃２０において、操作部２５から入力された心電同期ヘリカルスキャン領域Ｊと通常ヘリカルスキャン領域Ｋとを設定する。
【００６８】
次に、ＳＤ設定部３０は、ステップ＃３において、例えば心電同期ヘリカルスキャン領域Ｊと通常ヘリカルスキャン領域Ｋとに対してそれぞれスキャノ画像に対するＣＴ値のばらつきのＳＤ値を設定する。  
次に、第１の管電流設定部５１は、ステップ＃２１において、通常ヘリカルスキャン領域Ｋに対して通常ヘリカルスキャンの撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図１０に示すようなＸ線管４の回転毎の管電流値Ｉの変化を自動的に演算して求める。
【００６９】
次に、第２の管電流設定部５２は、ステップ＃２２において、心電同期ヘリカルスキャン領域Ｊに対して心電同期ヘリカルスキャンの撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図１０に示すようなＸ線管４の回転毎の管電流値Ｉの変化を自動的に演算して求める。
【００７０】
なお、第１及び第２の管電流設定部５１、５２は、自動的に演算して求めた通常ヘリカルスキャン時の管電流値Ｉと心電同期ヘリカルスキャン時の管電流値Ｉとの変化を表示装置２４に表示する。ここで、心電同期ヘリカルスキャン領域Ｊ内のＸ線管４の回転毎の管電流値Ｉの変化の最大管電流値Ｉｍが大き過ぎる等で被検体Ｐに対するＸ線曝射量が大きくなるおそれがある場合、例えばオペレータ等によりＳＤ値の再設定の操作が操作部２５に行われる。この操作部２５からのＳＤ値の再設定の操作を受けて主制御部２０は、再び、ステップ＃３に戻り、ＳＤ設定部３０に対してＳＤ値の再設定の指令を発する。
【００７１】
次に、第２の管電流設定部５２は、ステップ＃２３において、心電同期ヘリカルスキャン領域Ｊに対して自動的に演算して求めたＸ線管４の回転毎の管電流値Ｉの変化から最大管電流値Ｉｍを求め、この最大管電流値Ｉｍを設定する。  
次に、第１の管電流設定部５１は、ステップ＃２４において、通常ヘリカルスキャン領域Ｋに対して自動的に演算して求めたＸ線管４の回転毎の管電流値Ｉの変化をそのまま設定する。  
なお、第１の管電流設定部５１による通常ヘリカルスキャン時の管電流値Ｉの設定と、第２の管電流設定部５２による心電同期ヘリカルスキャン時の最大管電流値Ｉｍの設定とは、先ず、第２の管電流設定部５２による心電同期ヘリカルスキャン時の最大管電流値Ｉｍの設定を行い、次に、第１の管電流設定部５１による通常ヘリカルスキャン時の管電流値Ｉの設定を行ってもよい。
【００７２】
次に、バリアブルＨＰヘリカルスキャン部５５は、ステップ＃２５において、心電同期ヘリカルスキャン領域Ｊに対して第２の管電流設定部５２により設定された最大管電流値Ｉｍを受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、かつ心電計１５により計測される被検体Ｐの心拍から特定の心拍位相に従って投影データを収集するという心電同期撮影を行わせる。すなわち、Ｘ線管４には、高圧発生部８から高電圧が印加されると共に、一定の最大管電流値Ｉｍの管電流が供給される。これにより、Ｘ線管４は、Ｘ線を放射する。この状態で、Ｘ線管４と２次元Ｘ線検出器５とは、対向配置した状態で一定の回転速度で回転する。これらＸ線管４と２次元Ｘ線検出器５との回転に同期して寝台装置２の天板１２は、被検体Ｐを載置した状態で連続的にスライス方向（Ｚ軸方向）に移動する。これにより、Ｘ線管４を被検体Ｐに対して相対的に螺旋状に移動し、その螺旋軌道上の複数位置で投影データを収集するいわゆるヘリカルスキャンが行われる。このヘリカルスキャン時に、Ｘ線管４から放射されたＸ線は、被検体Ｐを透過して２次元Ｘ線検出器５に入射する。
【００７３】
この２次元Ｘ線検出器５は、被検体Ｐを透過したＸ線を受光し、このＸ線受光量に応じたＸ線検出信号を各受光素子毎に出力する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。
【００７４】
これと共に、心電計１５は、被検体Ｐに取り付けた電極から被検体Ｐの心拍に応じた心電信号、すなわち被検体Ｐの心臓から生じる微弱な電流を検出し、検出された電流の時間変化を心電図情報として出力する。この心電計１５から出力された心電図情報は、心電情報記憶部２３に記憶される。このとき投影データは、データ収集時のＸ線管４の回転角度を表すビュー、チャンネル番号、列番号等を表す各コードと関連付けられ、かつ心電計１５から出力される心電図情報と関連付け、すなわち同期付けられて投影データ記憶部２１に記憶される。
【００７５】
再構成部２７は、上記同様に、心電情報記憶部２３に記憶された心電図情報と、投影データ記憶部２１に記憶された投影データに基づいて心電同期再構成を行う。この再構成部２７は、心電同期再構成として例えばハーフ再構成又はセグメント再構成を行う。  
画像処理部２８は、画像記憶部２２に記憶されている例えば３Ｄ画像データからＭＰＲによる例えばアキシャル、コロナル、サジタル等の３方位断面の各断面画像データの生成、３Ｄ画像データからＭＩＰ像の生成などの画像処理を行い、表示装置２４に表示する。  
被検体Ｐに対して別の心電同期撮影領域Ｅを再設定する場合、主制御部２０は、ステップ＃２０に戻り、再度、操作部２５から入力される別の操作部２５から入力された心電同期ヘリカルスキャン領域Ｊと通常ヘリカルスキャン領域Ｋとを設定する。
【００７６】
又、バリアブルＨＰヘリカルスキャン部５５は、通常ヘリカルスキャン領域Ｋに対して第１の管電流設定部５１により設定されたＸ線管４の回転毎の管電流値Ｉの変化を受け取ってスキャン制御部１４に設定し、かつスキャン制御部１４に対してスキャン指令を発して回転駆動装置７と、高圧発生部８と、絞り駆動装置１０と、データ収集部１１と、寝台駆動装置１３とを制御し、投影データを収集する。
【００７７】
すなわち、Ｘ線管４には、高圧発生部８から高電圧が印加されると共に、スキャン位置によって変化する管電流値Ｉの管電流が供給される。これにより、Ｘ線管４は、Ｘ線を放射する。この状態で、Ｘ線管４と２次元Ｘ線検出器５とは、対向配置した状態で一定の回転速度で回転する。これらＸ線管４と２次元Ｘ線検出器５との回転に同期して寝台装置２の天板１２は、被検体Ｐを載置した状態で連続的にスライス方向（Ｚ軸方向）に移動する。これにより、ヘリカルスキャンが行われる。このヘリカルスキャン時に、Ｘ線管４から放射されたＸ線は、被検体Ｐを透過して２次元Ｘ線検出器５に入射する。
【００７８】
この２次元Ｘ線検出器５は、被検体Ｐを透過したＸ線を受光し、このＸ線受光量に応じたＸ線検出信号を各受光素子毎に出力する。データ収集部１１は、２次元Ｘ線検出器５から出力される各受光素子毎の各Ｘ線検出信号を電圧信号に変換し、増幅し、さらにデジタル信号に変換し、投影データとして出力する。この投影データは、投影データ記憶部２１に記憶される。  
これと共に、心電計１５は、被検体Ｐの心臓から生じる微弱な電流を検出し、検出された電流の時間変化を心電図情報として出力する。この心電計１５から出力された心電図情報は、心電情報記憶部２３に記憶される。このとき投影データは、データ収集時のＸ線管４の回転角度を表すビュー、チャンネル番号、列番号等を表す各コードと関連付けられ、かつ心電計１５から出力される心電図情報と関連付け、すなわち同期付けられて投影データ記憶部２１に記憶される。
【００７９】
再構成部２７は、上記同様に、心電情報記憶部２３に記憶された心電図情報と、投影データ記憶部２１に記憶された投影データに基づいて心電同期再構成を行う。この再構成部２７は、心電同期再構成として例えばハーフ再構成又はセグメント再構成を行う。  
画像処理部２８は、画像記憶部２２に記憶されている例えば３Ｄ画像データからＭＰＲによる例えばアキシャル、コロナル、サジタル等の３方位断面の各断面画像データの生成、３Ｄ画像データからＭＩＰ像の生成などの画像処理を行い、表示装置２４に表示する。
【００８０】
このように上記第３の実施の形態によれば、被検体Ｐのスキャノ画像を取得し、通常ヘリカルスキャン領域Ｋと心電同期ヘリカルスキャン領域Ｊとを設定し、スキャノ画像に対するＳＤ値を設定し、通常ヘリカルスキャン領域Ｋに対して撮影条件に応じてＸ線管４の回転毎の管電流値Ｉの変化を求めてこの管電流値Ｉの変化を設定し、心電同期ヘリカルスキャン領域Ｊに対して撮影条件に応じてＸ線管４の回転毎の管電流値Ｉの変化から一定の最大管電流値Ｉｍを設定し、通常ヘリカルスキャン領域Ｋに対して設定された管電流値ＩをＸ線管４に供給した状態で通常ヘリカルスキャンを行って投影データを収集し、又心電同期ヘリカルスキャン領域Ｊに対して最大管電流値ＩｍをＸ線管４に供給した状態で心電同期ヘリカルスキャンを行って投影データを収集する。
【００８１】
これにより、バリアブルＨＰヘリカルスキャンにおいて検査技師の経験や判断に拠らず、かつ検査技師による高い管電流値に設定されることなく、ＣＴ画像の画質を維持し、過剰なＸ線の被曝とならない適切な管電流、すなわち通常ヘリカルスキャン領域Ｋに対する管電流値Ｉ、心電同期ヘリカルスキャン領域Ｊに対する最大管電流値Ｉｍを設定することができる。一般に心臓領域の撮影では、画質を優先することが多いので、本装置は、心電同期撮影に有効である。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８３】
上記実施形態では、スキャンの撮影条件、例えばＸ線管４及び２次元Ｘ線検出器５を回転させる回転速度、被検体Ｐを載置する寝台装置２のスライス方向への移動速度、投影データを再構成して取得する被検体ＰのＣＴ画像のスライス厚等に応じて例えば図１０に示すようなＸ線管４の回転毎の管電流値Ｉの変化を自動的に演算して求め、このＸ線管４の回転毎の管電流値Ｉの変化から最大管電流値Ｉｍを求めて設定しているが、これに限らず、Ｘ線管４の回転毎の管電流値Ｉの変化の中間値、中央値又は平均値を求め、これら中間値、中央値又は平均値の管電流を設定するようにしてもよい。
【図面の簡単な説明】
【００８４】
【図１】本発明に係るＸ線コンピュータ断層撮影装置の第１の実施の形態を示す構成図。
【図２】同装置における標準偏差（ＳＤ）設定部によりＳＤ値に基づいて演算して求められたＸ線管に流れる管電流値の変化の一例を示す図。
【図３】同装置における心電同期撮影動作フローチャートを示す図。
【図４】同装置における最大管電流設定部により設定される最大管電流値を示す図。
【図５】本発明に係るＸ線コンピュータ断層撮影装置の第２の実施の形態を示す構成図。
【図６】同装置における心電同期撮影動作フローチャートを示す図。
【図７】本発明に係るＸ線コンピュータ断層撮影装置の第３の実施の形態を示す構成図。
【図８】同装置により被検体における心臓を含む心電同期撮影を行う心電同期ヘリカルスキャン領域と通常ヘリカルスキャンを行う領域とを示す図。
【図９】同装置におけるバリアブルＨＰヘリカルスキャンの心電同期撮影動作フローチャート。
【図１０】同装置による通常ヘリカルスキャン時の管電流値の設定と心電同期ヘリカルスキャン時の最大管電流値の設定とを示す図。
【図１１】心臓領域撮影時の心電同期ヘリカルスキャンにおけるセグメント再構成での各セグメントを示す摸式図。
【符号の説明】
【００８５】
Ｐ：被検体（患者）、１：スキャン部、２：寝台装置、３：コンソール、４：Ｘ線管、５：２次元Ｘ線検出器、６：回転フレーム、７：回転駆動装置、８：高圧発生部、９：コリメータ、１０：絞り駆動装置、１１：データ収集部、１２：天板、１３：寝台駆動装置、１４：スキャン制御部、１５：心電計、２０：主制御部、２１：投影データ記憶部、２２：画像記憶部、２３：心電情報記憶部、２４：表示装置、２５：操作部、２６：前処理部、２７：再構成部、２８：画像処理部、２９：スキャノ画像取得部、３０：ＳＤ設定部、３１：最大管電流設定部、３２：心電同期スキャン部、４０：管電流演算部、４１：スキャン位置決定部、４２：管電流値設定部、５０：スキャン領域設定部、５１：第１の管電流設定部、５２：第２の管電流設定部、５３：第１の投影データ取得部、５４：第２の投影データ取得部、５５：バリアブルＨＰヘリカルスキャン部。
【図１】
0005203750.tif 000002
【図２】
0005203750.tif 000003
【図３】
0005203750.tif 000004
【図４】
0005203750.tif 000005
【図５】
0005203750.tif 000006
【図６】
0005203750.tif 000007
【図７】
0005203750.tif 000008
【図８】
0005203750.tif 000009
【図９】
0005203750.tif 000010
【図１０】
0005203750.tif 000011
【図１１】
0005203750.tif 000012